(57)【要約】【課題】サービス要求ノードが地域限定サービスの提供を受ける場合に、サービス要求ノードのユーザの利便性を向上することを可能とする通信システム及び管理サーバを提供する。【解決手段】管理サーバ２００が、サービス要求ノード１００の位置情報を含むサービス検索要求をサービス要求ノード１００から受信する受信部３２０と、サービス検索要求に含まれるサービス要求ノードの位置情報に応じて、サービス要求ノード１００に提供可能な地域限定サービスを検索する制御部３４０と、地域限定サービスの検索結果をサービス要求ノード１００に送信する送信部３１０とを備え、送信部３１０は、検索された地域限定サービスの提供がサービス要求ノードに対して許可されたことを示すサービス許可通知をサービス提供ノード３００に送信する。【選択図】図３
2008059350.tif 000002
【特許請求の範囲】
【請求項１】
サービス要求ノードと、前記サービス要求ノードに対して地理的な条件が課された地域限定サービスを提供するサービス提供ノードと、管理サーバとを含む通信システムであって、
前記サービス要求ノードは、
前記サービス要求ノードの位置情報を含むサービス検索要求を前記管理サーバに送信するサービス検索要求送信部と、
前記サービス検索要求に応じて前記管理サーバが送信する前記地域限定サービスの検索結果に基づいて、前記地域限定サービスを要求するサービス提供要求を前記サービス提供ノードに送信するサービス提供要求送信部とを有しており、
前記管理サーバは、
前記地理的な条件と前記地域限定サービスとを対応付けて記憶する記憶部と、
前記サービス検索要求に含まれる前記サービス要求ノードの位置情報に応じて、前記記憶部を参照して前記サービス要求ノードに提供可能な前記地域限定サービスを検索する検索部と、
前記検索部による前記地域限定サービスの検索結果を前記サービス要求ノードに送信する検索結果送信部と、
前記検索部によって検索された前記地域限定サービスの提供が前記サービス要求ノードに対して許可されたことを示すサービス許可通知を前記サービス提供ノードに送信するサービス許可通知送信部とを有しており、
前記サービス提供ノードは、
前記サービス許可通知を受信した場合に、前記地域限定サービスの提供が許可された前記サービス要求ノードから受信した前記サービス提供要求を受付けるサービス要求受付部を有することを特徴とする通信システム。
【請求項２】
前記サービス提供ノードは、前記サービス許可通知を受信した場合に、前記地域限定サービスの提供が許可された前記サービス要求ノードに対して、前記サービス提供要求の送信を要求する送信要求部をさらに有することを特徴とする請求項１に記載の通信システム。
【請求項３】
前記サービス要求ノードは、前記地域限定サービスの検索結果に基づいて選択された前記地域限定サービスを示す選択サービス通知を前記管理サーバに送信する選択サービス送信部を有しており、
前記管理サーバの前記サービス許可通知送信部は、前記サービス要求ノードから受信した前記サービス通知が示す前記地域限定サービスを提供する前記サービス提供ノードにのみ、前記サービス許可通知を送信することを特徴とする請求項１に記載の通信システム。
【請求項４】
サービス要求ノードと、前記サービス要求ノードに対して地理的な条件が課された地域限定サービスを提供するサービス提供ノードとに接続可能な管理サーバであって、
前記地理的な条件と前記地域限定サービスとを対応付けて記憶する記憶部と、
前記サービス要求ノードの位置情報を含むサービス検索要求を前記サービス要求ノードから受信する受信部と、
前記サービス検索要求に含まれる前記サービス要求ノードの位置情報に応じて、前記記憶部を参照して前記サービス要求ノードに提供可能な前記地域限定サービスを検索する検索部と、
前記検索部による前記地域限定サービスの検索結果を前記サービス要求ノードに送信する検索結果送信部と、
前記検索部によって検索された前記地域限定サービスの提供が前記サービス要求ノードに対して許可されたことを示すサービス許可通知を前記サービス提供ノードに送信するサービス許可通知送信部とを備えることを特徴とする管理サーバ。
【発明の詳細な説明】
【技術分野】
【０００１】
本発明は、サービス要求ノードと、サービス要求ノードの地理的な条件が課された地域限定サービスを提供するサービス提供ノードと、管理サーバとを含む通信システム及び管理サーバに関する。
【背景技術】
【０００２】
従来、サービス要求ノードの地理的な条件に応じて、サービス要求ノードに提供されるサービス内容が制限されるサービスが知られている。また、このサービスは、サービス要求ノードとサービス提供ノードとがＰ  ｔｏ  Ｐ（Ｐｅｅｒ  ｔｏ  Ｐｅｅｒ）で接続される。なお、以下において、このようなサービスを地域限定Ｐ２Ｐサービスと称する。
【０００３】
地域限定Ｐ２Ｐサービスとしては、市町村内、学校内や学区内などのように限定された地域を対象として地域情報を提供するサービス、スーパーなどの商店が営業区域内を対象として広告情報を提供するサービスなどである。
【０００４】
また、サービス要求ノードの位置情報に合致するサービスを検索して、検索結果をサービス要求ノードに送信するサーバについても知られている。なお、サービス要求ノードが位置情報を取得する方法としては、ＧＰＳ（Ｇｌｏｂａｌ  Ｐｏｓｉｔｉｏｎｉｎｇ  Ｓｙｓｔｅｍ）を用いた方法が一般的に広く知られている（例えば、特許文献１）。
【特許文献１】特開２００２−３６８７８９号公報（〔００１７〕〜〔００１９〕、図２など）
【発明の開示】
【発明が解決しようとする課題】
【０００５】
しかしながら、地域限定Ｐ２Ｐサービスでは、サービス要求ノードの地理的な条件に応じて、サービス要求ノードに提供されるサービス内容が制限される。従って、サービス要求ノードの位置情報に合致するサービスを検索して、検索結果をサービス要求ノードに送信したとしても、サービス要求ノードは、地理的な条件が満たされているか否かについて改めてサービス提供ノードに問い合せる必要があった。
【０００６】
そこで、本発明は、上述した課題を解決するためになされたものであり、サービス要求ノードが地域限定サービスの提供を受ける場合に、サービス要求ノードのユーザの利便性を向上することを可能とする通信システム及び管理サーバを提供することを目的とする。
【課題を解決するための手段】
【０００７】
本発明の一の特徴は、サービス要求ノードと、前記サービス要求ノードに対して地理的な条件が課された地域限定サービスを提供するサービス提供ノードと、管理サーバとを含む通信システムにおいて、前記サービス要求ノードが、前記サービス要求ノードの位置情報を含むサービス検索要求を前記管理サーバに送信するサービス検索要求送信部（送信部１１０）と、前記サービス検索要求に応じて前記管理サーバが送信する前記地域限定サービスの検索結果に基づいて、前記地域限定サービスを要求するサービス提供要求を前記サービス提供ノードに送信するサービス提供要求送信部（送信部１１０）とを有しており、前記管理サーバが、前記地理的な条件と前記地域限定サービスとを対応付けて記憶する記憶部（記憶部２３０）と、前記サービス検索要求に含まれる前記サービス要求ノードの位置情報に応じて、前記記憶部を参照して前記サービス要求ノードに提供可能な前記地域限定サービスを検索する検索部（制御部２４０）と、前記検索部による前記地域限定サービスの検索結果を前記サービス要求ノードに送信する検索結果送信部（送信部２１０）と、前記検索部によって検索された前記地域限定サービスの提供が前記サービス要求ノードに対して許可されたことを示すサービス許可通知を前記サービス提供ノードに送信するサービス許可通知送信部（送信部２１０）とを有しており、前記サービス提供ノードが、前記サービス許可通知を受信した場合に、前記地域限定サービスの提供が許可された前記サービス要求ノードから受信した前記サービス提供要求を受付けるサービス要求受付部（制御部３４０）を有することを要旨とする。
【０００８】
かかる特徴によれば、管理サーバは、サービス要求ノードの位置情報に合致する地域限定サービスを検索して、地域限定サービスの検索結果をサービス要求ノードに送信する。これに加えて、管理サーバは、地域限定サービスの提供がサービス要求ノードに対して許可されたことを示すサービス許可通知をサービス提供ノードに送信する。
【０００９】
従って、サービス要求ノードは、地理的な条件が満たされるか否かについてサービス提供ノードに対して改めて問い合せなくてよいため、地域限定サービスの提供を迅速に受けることが可能である。この結果、サービス要求ノードのユーザの利便性が向上する。
【００１０】
本発明の一の特徴は、本発明の上述した特徴において、前記サービス提供ノードが、前記サービス許可通知を受信した場合に、前記地域限定サービスの提供が許可された前記サービス要求ノードに対して、前記サービス提供要求の送信を要求する送信要求部（送信部３１０）をさらに有することを要旨とする。
【００１１】
本発明の一の特徴は、本発明の上述した特徴において、前記サービス要求ノードが、前記地域限定サービスの検索結果に基づいて選択された前記地域限定サービスを示す選択サービス通知を前記管理サーバに送信する選択サービス送信部（送信部１１０）を有しており、前記管理サーバの前記サービス許可通知送信部は、前記サービス要求ノードから受信した前記サービス通知が示す前記地域限定サービスを提供する前記サービス提供ノードにのみ、前記サービス許可通知を送信することを要旨とする。
【００１２】
本発明の一の特徴は、サービス要求ノードと、前記サービス要求ノードに対して地理的な条件が課された地域限定サービスを提供するサービス提供ノードとに接続可能な管理サーバが、前記地理的な条件と前記地域限定サービスとを対応付けて記憶する記憶部と、前記サービス要求ノードの位置情報を含むサービス検索要求を前記サービス要求ノードから受信する受信部と、前記サービス検索要求に含まれる前記サービス要求ノードの位置情報に応じて、前記記憶部を参照して前記サービス要求ノードに提供可能な前記地域限定サービスを検索する検索部と、前記検索部による前記地域限定サービスの検索結果を前記サービス要求ノードに送信する検索結果送信部と、前記検索部によって検索された前記地域限定サービスの提供が前記サービス要求ノードに対して許可されたことを示すサービス許可通知を前記サービス提供ノードに送信するサービス許可通知送信部とを備えることを要旨とする。
【発明の効果】
【００１３】
本発明によれば、サービス要求ノードが地域限定サービスの提供を受ける場合に、サービス要求ノードのユーザの利便性を向上することを可能とする通信システム及び管理サーバを提供することができる。
【発明を実施するための最良の形態】
【００１４】
以下において、本発明の実施形態に係る通信システムについて、図面を参照しながら説明する。なお、以下の図面の記載において、同一又は類似の部分には、同一又は類似の符号を付している。
【００１５】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１６】
［第１実施形態］
（通信システムの構成）
以下において、本発明の第１実施形態に係る通信システムの構成について、図面を参照しながら説明する。図１は、本発明の第１実施形態に係る通信システムの構成を示す図である。
【００１７】
図１に示すように、通信システムでは、サービス要求ノード１００、管理サーバ２００及び複数のサービス提供ノード３００（サービス提供ノード３００ａ〜サービス提供ノード３００ｃ）は、ネットワーク４００を介して接続されている。なお、サービス提供ノード３００ａ〜サービス提供ノード３００ｃは同様の構成を有しているため、必要に応じてこれらをサービス提供ノード３００と総称する。
【００１８】
ここで、サービス要求ノード１００は、地域限定サービスを要求するノードであり、複数のサービス提供ノード３００は、地域限定サービスを提供するノードである。また、地域限定サービスは、サービスの提供を受けるために地理的な条件が課されたサービスであり、Ｐ  ｔｏ  Ｐ（Ｐｅｅｒ  ｔｏ  Ｐｅｅｒ）で提供される。
【００１９】
管理サーバ２００は、地理的な条件と地域限定サービスの種類とを対応付けて管理しており、サービス要求ノード１００の地理的な条件に合致する地域限定サービスを検索可能である。
【００２０】
（サービス要求ノードの構成）
以下において、本発明の第１実施形態に係るサービス要求ノードの構成について、図面を参照しながら説明する。図２は、本発明の第１実施形態に係るサービス要求ノード１００の構成を示すブロック図である。
【００２１】
図２に示すように、サービス要求ノード１００は、送信部１１０と、受信部１２０と、位置情報取得部１３０と、制御部１４０とを有する。
【００２２】
送信部１１０は、ネットワーク４００を介して情報を送信する。具体的には、送信部１１０は、サービス要求ノード１００が提供を受けられる地域限定サービスの検索を要求するサービス検索要求を管理サーバ２００に送信する。サービス検索要求は、サービス要求ノード１００の位置情報を含む。
【００２３】
また、送信部１１０は、地域限定サービスの検索結果に応じてユーザが選択した地域限定サービスの提供を要求するサービス提供要求を、該当するサービス提供ノード３００に送信する。
【００２４】
受信部１２０は、ネットワーク４００を介して情報を受信する。具体的には、受信部１２０は、サービス検索要求に応じて管理サーバ２００が送信する地域限定サービスの検索結果を受信する。また、受信部１２０は、サービス提供要求に応じてサービス提供ノード３００が提供する地域限定サービスに必要なサービス情報を受信する。
【００２５】
位置情報取得部１３０は、サービス要求ノード１００の位置情報を取得する。具体的には、位置情報取得部１３０は、ＧＰＳ（Ｇｌｏｂａｌ  Ｐｏｓｉｔｉｏｎｉｎｇ  Ｓｙｓｔｅｍ）を利用してサービス要求ノード１００の位置情報を取得する。
【００２６】
制御部１４０は、サービス要求ノード１００の動作を統括的に制御する。例えば、制御部１４０は、位置情報取得部１３０によって取得された位置情報を含むサービス検索要求を生成する。なお、サービス検索要求は、上述したように、送信部１１０によって管理サーバ２００に送信される。
【００２７】
また、制御部１４０は、地域限定サービスの検索結果に応じてユーザが選択した地域限定サービスの提供を要求するサービス提供要求を生成する。なお、サービス提供要求は、上述したように、送信部１１０によって該当するサービス提供ノード３００に送信される。
【００２８】
（管理サーバの構成）
以下において、本発明の第１実施形態に係る管理サーバの構成について、図面を参照しながら説明する。図３は、本発明の第１実施形態に係る管理サーバ２００の構成を示すブロック図である。
【００２９】
図３に示すように、管理サーバ２００は、送信部２１０と、受信部２２０と、記憶部２３０と、制御部２４０とを有する。
【００３０】
送信部２１０は、ネットワーク４００を介して情報を送信する。具体的には、送信部２１０は、サービス要求ノード１００の位置情報に合致する地域限定サービスの検索結果をサービス要求ノード１００に送信する。
【００３１】
また、送信部２１０は、サービス要求ノード１００の位置情報に合致する地域限定サービスを提供するサービス提供ノード３００に対して、地域限定サービスの提供がサービス要求ノード１００に対して許可されたことを示すサービス許可通知を送信する。
【００３２】
受信部２２０は、ネットワーク４００を介して情報を受信する。具体的には、受信部２２０は、サービス要求ノード１００の位置情報を含むサービス検索要求をサービス要求ノード１００から受信する。
【００３３】
記憶部２３０は、地域限定サービスと、地域限定サービスに課された地理的な条件と、地域限定サービスを提供するサービス提供ノード３００とを対応付けて記憶する。具体的には、図４に示すように、記憶部２３０は、地理的な条件と地域限定サービスとサービス提供ノードとを対応付けるテーブルを記憶する。なお、地理的な条件とは、例えば、東京都や２３区などといったように、一定の範囲を指定する条件である。
【００３４】
制御部２４０は、管理サーバ２００の動作を統括的に制御する。例えば、制御部２４０は、サービス検索要求に応じて、サービス検索要求に含まれる位置情報に合致する地理的な条件を特定する。続いて、制御部２４０は、記憶部２３０を参照して、特定された地理的な条件と対応付けられた地域限定サービスを検索する。すなわち、制御部２４０は、サービス検索要求に応じて、サービス要求ノード１００に提供可能な地域限定サービスを検索する。また、制御部２４０は、サービス要求ノード１００に提供可能な地域限定サービスの検索結果を生成する。ここで、地域限定サービスの検索結果は、地域限定サービスを提供するサービス提供ノード３００を特定する情報（アドレスなど）を含むことが好ましい。なお、地域限定サービスの検索結果は、上述したように、送信部２１０によってサービス要求ノード１００に送信される。
【００３５】
さらに、制御部２４０は、地域限定サービスの提供がサービス要求ノード１００に対して許可されたことを示すサービス許可通知を生成する。なお、サービス許可通知は、上述したように、送信部２１０によって、サービス要求ノード１００に提供可能な地域限定サービスを提供するサービス提供ノード３００に送信される。
【００３６】
（サービス提供ノードの構成）
以下において、本発明の第１実施形態に係るサービス提供ノードの構成について、図面を参照しながら説明する。図５は、本発明の第１実施形態に係るサービス提供ノード３００の構成を示すブロック図である。サービス提供ノード３００は、送信部３１０と、受信部３２０と、サービス提供部３３０と、制御部３４０とを有する。
【００３７】
送信部３１０は、ネットワーク４００を介して情報を送信する。具体的には、送信部３１０は、サービス提供要求に応じて、サービス要求ノード１００が要求する地域限定サービスの提供に必要なサービス情報をサービス要求ノード１００に送信する。
【００３８】
受信部３２０は、ネットワーク４００を介して情報を受信する。具体的には、受信部３２０は、地域限定サービスの提供がサービス要求ノード１００に対して許可されたことを示すサービス許可通知を管理サーバ２００から受信する。また、受信部３２０は、地域限定サービスの提供を要求するサービス提供要求をサービス要求ノード１００から受信する。
【００３９】
サービス提供部３３０は、地域限定サービスの提供が許可されている場合には、地域限定サービスをサービス要求ノード１００に提供する。
【００４０】
制御部３４０は、サービス提供ノード３００の動作を統括的に制御する。具体的には、制御部３４０は、サービス提供要求を送信したサービス要求ノード１００について、サービス許可通知を管理サーバ２００から受信しているか否かを判定する。続いて、制御部３４０は、サービス許可通知を受信している場合にのみ、地域限定サービスの提供をサービス提供部３３０に指示する。なお、制御部３４０は、サービス許可通知を受信していない場合には、地域限定サービスの提供が不可であることを示す不許可情報の送信を送信部３１０に指示してもよい。なお、不許可情報は、送信部３１０によってサービス要求ノード１００に送信される。
【００４１】
（通信システムの動作）
以下において、本発明の第１実施形態に係る通信システムの動作について、図面を参照しながら説明する。図６は、本発明の第１実施形態に係る通信システムの動作を示すシーケンス図である。
【００４２】
図６に示すように、ステップ１０において、サービス要求ノード１００は、サービス要求ノード１００の位置情報を取得する。
【００４３】
ステップ２０において、サービス要求ノード１００は、ステップ１０で取得された位置情報を含むサービス検索要求を管理サーバ２００に送信する。
【００４４】
ステップ３０において、管理サーバ２００は、記憶部２３０を参照して、サービス検索要求に含まれる位置情報に合致する地域限定サービスを検索する。
【００４５】
ステップ４０において、管理サーバ２００は、地域限定サービスの検索結果をサービス要求ノード１００に送信する。
【００４６】
ステップ５０において、管理サーバ２００は、地域限定サービスの提供がサービス要求ノード１００に対して許可されていることを示すサービス許可通知を、該地域限定サービスを提供するサービス提供ノード３００に送信する。
【００４７】
ステップ６０において、サービス要求ノード１００のユーザは、地域限定サービスの検索結果の中から、所望の地域限定サービスを選択する。
【００４８】
ステップ７０において、サービス要求ノード１００は、ステップ６０で選択された所望の地域限定サービスの提供を要求するサービス提供要求を、該地域限定サービスを提供するサービス提供ノード３００に送信する。
【００４９】
ステップ８０において、サービス提供ノード３００は、サービス提供要求を送信したサービス要求ノード１００について、サービス許可通知を管理サーバ２００から受信しているか否かを判定する。
【００５０】
ステップ９０において、サービス提供ノード３００は、ステップ８０でサービス許可通知を受信していると判定された場合には、地域限定サービスをサービス要求ノード１００に提供する。具体的には、サービス提供ノード３００は、地域限定サービスの提供に必要なサービス情報をサービス要求ノード１００に送信する。
【００５１】
（作用及び効果）
本発明の第１実施形態に係る通信システムによれば、管理サーバ２００は、サービス要求ノード１００の位置情報に合致する地域限定サービスを検索して、地域限定サービスの検索結果をサービス要求ノード１００に送信する。これに加えて、管理サーバ２００は、地域限定サービスの提供がサービス要求ノード１００に対して許可されたことを示すサービス許可通知をサービス提供ノード３００に送信する。
【００５２】
従って、サービス要求ノード１００は、地理的な条件が満たされるか否かについてサービス提供ノード３００に対して改めて問い合せなくてもよいため、地域限定サービスの提供を迅速に受けることが可能である。この結果、サービス要求ノード１００のユーザの利便性が向上する。
【００５３】
［第２実施形態］
以下において、本発明の第２実施形態について、図面を参照しながら説明する。なお、以下においては、上述した第１実施形態と第２実施形態との相違点について主として説明する。
【００５４】
具体的には、上述した第１実施形態では特に触れていないが、第２実施形態では、サービス提供ノード３００は、サービス許可通知を受信すると、サービス提供要求の送信をサービス要求ノード１００に要求する。
【００５５】
（通信システムの動作）
以下において、本発明の第２実施形態に係る通信システムの動作について、図面を参照しながら説明する。図７は、本発明の第２実施形態に係る通信システムの動作を示すシーケンス図である。なお、図７では、図６と同様の処理については、同様のステップ番号が付されていることに留意すべきである。
【００５６】
図７に示すように、ステップ５２において、サービス提供ノード３００は、サービス提供要求の送信を要求する送信要求をサービス要求ノード１００に送信する。
【００５７】
なお、ステップ６０において、サービス要求ノード１００のユーザは、送信要求を送信したサービス要求ノード１００が提供する地域限定サービスの中から、所望の地域限定サービスを選択する。
【００５８】
（作用及び効果）
本発明の第２実施形態に係る通信システムによれば、サービス提供ノード３００は、サービス許可通知を受信すると、サービス提供要求の送信をサービス要求ノード１００に要求する。一方で、サービス要求ノード１００のユーザは、送信要求を送信したサービス要求ノード１００が提供する地域限定サービスの中から、所望の地域限定サービスを選択する。
【００５９】
従って、サービス許可通知よりも前にサービス提供要求がサービス提供ノード３００に届いてしまって、サービス提供要求が拒否されることを未然に防ぐことができる。
【００６０】
［第３実施形態］
以下において、本発明の第３実施形態について、図面を参照しながら説明する。なお、以下においては、上述した第１実施形態と第３実施形態との相違点について主として説明する。
【００６１】
具体的には、上述した第１実施形態では、管理サーバ２００は、サービス検索要求を受信すると、サービス検索要求に含まれる位置情報に合致する地域限定サービスを提供するサービス提供ノード３００にサービス許可通知を送信する。
【００６２】
これに対して、第３実施形態では、管理サーバ２００は、地域限定サービスの検索結果に応じて選択された地域限定サービスを示す情報（以下、選択サービス通知）を受信してから、選択サービス通知で示された地域限定サービスを提供するサービス提供ノード３００にサービス許可通知を送信する。
【００６３】
（通信システムの動作）
以下において、本発明の第３実施形態に係る通信システムの動作について、図面を参照しながら説明する。図８は、本発明の第３実施形態に係る通信システムの動作を示すシーケンス図である。なお、図８では、上述した図６と同様の処理については、同様のステップ番号を付していることに留意すべきである。
【００６４】
図８に示すように、ステップ６２において、サービス要求ノード１００は、ステップ６０で選択された地域限定サービスを示すサービス選択通知を管理サーバ２００に送信する。
【００６５】
なお、ステップ５０において、管理サーバ２００は、選択サービス通知で示された地域限定サービスを提供するサービス提供ノード３００にサービス許可通知を送信する。
【００６６】
（作用及び効果）
本発明の第３実施形態に係る通信システムによれば、管理サーバ２００は、選択サービス通知を受信してから、選択サービス通知で示された地域限定サービスを提供するサービス提供ノード３００にサービス許可通知を送信する。
【００６７】
従って、サービス要求ノード１００のユーザが所望していない地域限定サービスを提供するサービス提供ノード３００にまで、サービス許可通知が送信されることを抑制して、ネットワークリソースを有効に活用することができる。
【００６８】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００６９】
例えば、上述した第１実施形態〜第３実施形態では、サービス要求ノード１００の位置情報取得部１３０は、ＧＰＳを用いて位置情報を取得するが、これに限定されるものではない。具体的には、位置情報取得部１３０は、サービス要求ノード１００の上位に位置するルータのアドレス（ＩＰアドレス）などに基づいて、サービス要求ノード１００の位置を大まかに特定してもよい。
【００７０】
また、サービス要求ノード１００が無線端末である場合には、位置情報取得部１３０は、サービス要求ノード１００が接続する基地局から受信する信号の強度に基づいて、サービス要求ノード１００の位置を大まかに特定してもよい。
【図面の簡単な説明】
【００７１】
【図１】本発明の第１実施形態に係る通信システムの構成を示す図である。
【図２】本発明の第１実施形態に係るサービス要求ノード１００の構成を示すブロック図である。
【図３】本発明の第１実施形態に係る管理サーバ２００の構成を示すブロック図である。
【図４】本発明の第１実施形態に係る記憶部２３０に記憶された情報を示す図である。
【図５】本発明の第１実施形態に係るサービス提供ノード３００の構成を示すブロック図である。
【図６】本発明の第１実施形態に係る通信システムの動作を示すシーケンス図である。
【図７】本発明の第２実施形態に係る通信システムの動作を示すシーケンス図である。
【図８】本発明の第３実施形態に係る通信システムの動作を示すシーケンス図である。
【符号の説明】
【００７２】
１００・・・サービス要求ノード、１１０・・・送信部、１２０・・・受信部、１３０・・・位置情報取得部、１４０・・・制御部、２００・・・管理サーバ、２１０・・・送信部、２２０・・・受信部、２３０・・・記憶部、２４０・・・制御部、３００・・・サービス提供ノード、３１０・・・送信部、３２０・・・受信部、３３０・・・サービス提供部、３４０・・・制御部、４００・・・ネットワーク
【図１】
2008059350.tif 000003
【図２】
2008059350.tif 000004
【図３】
2008059350.tif 000005
【図４】
2008059350.tif 000006
【図５】
2008059350.tif 000007
【図６】
2008059350.tif 000008
【図７】
2008059350.tif 000009
【図８】
2008059350.tif 000010